(57)【特許請求の範囲】
【請求項１】
方法であって、
無線通信ネットワークにおけるデバイスのパフォーマンスに関する１または複数のパラメータを基地局から受信することと、
前記１または複数のパラメータに少なくとも部分的に基づいて、前記デバイスへの干渉を判定することと、なお、前記デバイスへの干渉を判定することは、リソースのサブセットにおける送信をブランキングすることによる前記デバイスのパフォーマンスに関する前記１または複数のパラメータに対する改善を判定することを含む、
前記リソースのサブセットにおける前記デバイスへの干渉を緩和するために、前記判定された改善に基づいて、前記基地局と通信するために前記デバイスによって利用される前記リソースのサブセットにおける送信をブランキングすることと、を備える方法。
【請求項２】
前記リソースのサブセットを示すインジケーションを受信すること、をさらに備える請求項１に記載の方法。
【請求項３】
前記リソースのサブセットにおける送信をブランキングすることは、サブフレームのサブセットまたはキャリアのサブセットにおける送信をブランキングすることを含む、請求項１に記載の方法。
【請求項４】
前記サブフレームのサブセットにおける送信をブランキングすることは、周期的な通信サブフレームを表わすインタレースのサブセットにおける送信をブランキングすることを含む、請求項３に記載の方法。
【請求項５】
前記リソースのサブセットにおける送信をブランキングすることは、前記リソースのサブセットにおける逆方向リンク送信をブランキングすることを含む、請求項１に記載の方法。
【請求項６】
前記デバイスへの干渉を判定することはさらに、前記リソースのサブセットにおける送信をブランキングすることに基づく、前記１または複数のパラメータに対する改善を、前記リソースのサブセットにおける送信を継続することに基づく、１または複数のローカルなパラメータの別の改善に対して評価することを含む、請求項１に記載の方法。
【請求項７】
前記デバイスのパフォーマンスに関する１または複数のパラメータを受信することは、前記基地局と通信するデバイスのサービス品質、レイテンシ、またはデータ・レートを受信することを含む、請求項１に記載の方法。
【請求項８】
前記デバイスのパフォーマンスに関する１または複数のパラメータを受信することは、前記基地局および近隣の基地局からの、前記デバイスにおいて受信された信号の相対強度を受信することを含む、請求項１に記載の方法。
【請求項９】
前記デバイスのパフォーマンスに関する１または複数のパラメータを受信することは、前記デバイスの制御接続に関する１または複数のファクタを受信することを含む、請求項１に記載の方法。
【請求項１０】
前記デバイスへの干渉を判定することは、無線ネットワークにおける前記デバイス、または、１または複数の他のデバイス、または、基地局から、干渉を示すインジケーションを受信することを含む、請求項１に記載の方法。
【請求項１１】
前記リソースのサブセットは、前記基地局と通信している前記デバイスによって利用される制御チャネルまたはデータ・チャネルに関連する、請求項１に記載の方法。
【請求項１２】
無線通信装置であって、
基地局と通信しているデバイスのパフォーマンスに関する１または複数のパラメータを前記基地局から取得し、
前記１または複数のパラメータに少なくとも部分的に基づいて、前記無線通信装置による前記デバイスへの干渉を検出し、なお、少なくとも１つのプロセッサが、リソースのサブセットにおける送信をブランキングすることによる前記デバイスのパフォーマンスに関する前記１または複数のパラメータに対する改善を判定することに少なくとも部分的に基づいて、前記デバイスに対する干渉を検出する、
前記リソースのサブセットにおける干渉を緩和するために、前記判定された改善に基づいて、前記基地局と通信するために前記デバイスによって利用される前記リソースのサブセットにおける送信をブランキングする、
ように構成された前記少なくとも１つのプロセッサと、
前記少なくとも１つのプロセッサに接続されたメモリと、を備える無線通信装置。
【請求項１３】
前記少なくとも１つのプロセッサはさらに、前記基地局と通信するために前記デバイスによって利用された前記リソースのサブセットを示すインジケーションを受信するように構成された、請求項１２に記載の無線通信装置。
【請求項１４】
前記リソースのサブセットは、サブフレームのサブセット、または、キャリアのサブセットを含む、請求項１２に記載の無線通信装置。
【請求項１５】
前記サブフレームのサブセットは、周期的なサブフレームのセットで定義されたインタレースのサブセットを含む、請求項１４に記載の無線通信装置。
【請求項１６】
前記少なくとも１つのプロセッサはさらに、前記改善を、前記リソースのサブセットにおける送信を継続することに基づいて、前記無線通信装置の通信に関する１または複数のローカルなパラメータの別の改善と比較することに少なくとも部分的に基づいて、前記デバイスに対する干渉を検出する、請求項１２に記載の無線通信装置。
【請求項１７】
前記１または複数のパラメータは、前記基地局および近隣の基地局からの、前記デバイスにおいて受信された信号の相対強度に関連する、請求項１２に記載の無線通信装置。
【請求項１８】
前記１または複数のパラメータは、前記デバイスの制御接続に関する１または複数のファクタを含む、請求項１２に記載の無線通信装置。
【請求項１９】
前記少なくとも１つのプロセッサは、前記制御接続を、通信している前記デバイスまたは前記基地局および前記無線通信装置の接続と比較することに少なくとも部分的に基づいて、前記デバイスに対する干渉を検出する、請求項１８に記載の無線通信装置。
【請求項２０】
前記少なくとも１つのプロセッサは、無線ネットワークにおける前記デバイス、または、１または複数の他のデバイス、または、基地局から、干渉を示すインジケーションを受信することに少なくとも部分的に基づいて、前記デバイスに対する干渉を検出する、請求項１２に記載の無線通信装置。
【請求項２１】
装置であって、
無線通信ネットワークにおけるデバイスのパフォーマンスに関する１または複数のパラメータを基地局から受信する手段と、
前記１または複数のパラメータに少なくとも部分的に基づいて、前記デバイスへの干渉を検出する手段と、なお、前記干渉を検出する手段は、リソースのサブセットにおける送信をブランキングすることによる前記デバイスのパフォーマンスに関する前記１または複数のパラメータに対する改善を判定する、
前記無線通信ネットワークにおいて、前記リソースのサブセットにおける前記デバイスへの干渉を緩和するために、前記判定された改善に基づいて、前記基地局と通信している前記デバイスによって利用されている前記リソースのサブセットにおける送信をブランキングする手段と、を備える装置。
【請求項２２】
前記１または複数のパラメータを受信する手段は、前記リソースのサブセットを示すインジケーションを受信する、請求項２１に記載の装置。
【請求項２３】
前記リソースのサブセットは、サブフレームのサブセット、または、キャリアのサブセットを含む、請求項２１に記載の装置。
【請求項２４】
前記サブフレームのサブセットは、周期的なサブフレームのセットによって定義されたインタレースのサブセットを含む、請求項２３に記載の装置。
【請求項２５】
前記送信をブランキングする手段は、前記リソースのサブセットにおける逆方向リンク送信をブランキングする、請求項２１に記載の装置。
【請求項２６】
前記干渉を検出する手段は、前記１または複数のパラメータに対する改善を、前記リソースのサブセットにおける送信を継続することに基づいて、前記装置の１または複数のローカルなパラメータの別の改善と比較する、請求項２１に記載の装置。
【請求項２７】
前記１または複数のパラメータは、前記デバイスと前記基地局との間の通信に関するサービス品質、レイテンシ、またはデータ・レートを含む、請求項２１に記載の装置。
【請求項２８】
前記１または複数のパラメータは、前記デバイスと通信している前記基地局、および、近隣の基地局からの、前記デバイスにおいて受信された信号の相対強度を含む、請求項２１に記載の装置。
【請求項２９】
前記１または複数のパラメータは、前記デバイスの前記基地局との制御接続に関連する、請求項２１に記載の装置。
【請求項３０】
前記干渉を検出する手段は、前記無線通信ネットワークにおける１または複数のデバイスから、前記干渉を示すインジケーションを受信する、請求項２１に記載の装置。
【請求項３１】
コンピュータ・プログラムを記憶した記憶媒体であって、
前記コンピュータ・プログラムは、
少なくとも１つのコンピュータに対して、無線通信ネットワークにおけるデバイスのパフォーマンスに関する１または複数のパラメータを基地局から受信させるためのコードと、
前記少なくとも１つのコンピュータに対して、前記１または複数のパラメータに少なくとも部分的に基づいて、前記デバイスへの干渉を判定させるためのコードと、なお、前記少なくとも１つのコンピュータに対して、前記干渉を判定させるためのコードは、前記少なくとも１つのコンピュータに対して、リソースのサブセットにおける送信をブランキングすることによる前記デバイスのパフォーマンスに関する前記１または複数のパラメータに対する改善を判定させるためのコードを含む、
前記少なくとも１つのコンピュータに対して、前記リソースのサブセットにおける前記デバイスへの干渉を緩和するために、前記判定された改善に基づいて、前記基地局と通信するために前記デバイスによって利用される前記リソースのサブセットにおける送信をブランキングさせるためのコードとを備える、記憶媒体。
【請求項３２】
前記コンピュータ・プログラムはさらに、前記少なくとも１つのコンピュータに対して、前記リソースのサブセットを示すインジケーションを受信させるためのコードを備え、
前記リソースのサブセットは、周期的な通信サブフレームに関連する、請求項３１に記載の記憶媒体。
【請求項３３】
前記リソースのサブセットは、サブフレームのサブセット、または、キャリアのサブセットを含む、請求項３１に記載の記憶媒体。
【請求項３４】
前記サブフレームのサブセットは、周期的なサブフレームのセットを含むインタレースのサブセットを含む、請求項３３に記載の記憶媒体。
【請求項３５】
前記コンピュータ・プログラムはさらに、前記少なくとも１つのコンピュータに対して、前記干渉を判定するために、前記１または複数のパラメータに対する改善を、前記リソースのサブセットにおける送信を継続することに基づいて、１または複数のローカルなパラメータの別の改善と比較させるためのコードを備える、請求項３１に記載の記憶媒体。
【請求項３６】
前記１または複数のパラメータは、前記基地局と通信するデバイスのサービス品質、レイテンシ、またはデータ・レートを含む、請求項３１に記載の記憶媒体。
【請求項３７】
前記１または複数のパラメータは、前記基地局および近隣の基地局からの、前記デバイスにおいて受信された信号の相対強度を含む、請求項３１に記載の記憶媒体。
【請求項３８】
前記１または複数のパラメータは、前記デバイスの前記基地局との制御接続に関連する、請求項３１に記載の記憶媒体。
【請求項３９】
装置であって、
無線通信ネットワークにおけるデバイスのパフォーマンスに関する１または複数のパラメータを基地局から取得する干渉情報受信機と、
前記１または複数のパラメータに少なくとも部分的に基づいて、前記デバイスへの干渉を識別する干渉レベル判定部と、なお、前記干渉レベル判定部は、リソースのサブセットにおける送信をブランキングすることによる前記デバイスのパフォーマンスに関する前記１または複数のパラメータに対する改善を判定する、
前記無線通信ネットワークにおいて、前記リソースのサブセットにおける前記デバイスへの干渉を緩和するために、前記判定された改善に基づいて、前記基地局と通信している前記デバイスによって利用される前記リソースのサブセットにおける送信をブランキングするインタレース・ブランカと、を備える装置。
【請求項４０】
前記干渉情報受信機は、前記リソースのサブセットを示すインジケーションを取得する、請求項３９に記載の装置。
【請求項４１】
前記リソースのサブセットは、サブフレームのサブセット、または、キャリアのサブセットを含む、請求項３９に記載の装置。
【請求項４２】
前記サブフレームのサブセットは、インタレースのサブセットを含む、請求項４１に記載の装置。
【請求項４３】
前記干渉レベル判定部は、前記１または複数のパラメータに対する改善を、前記リソースのサブセットにおける送信を継続することに基づいて、前記装置の１または複数のローカルなパラメータの別の改善と比較する、請求項３９に記載の装置。
【請求項４４】
前記１または複数のパラメータは、前記デバイスと前記基地局との間の通信に関するサービス品質、レイテンシ、またはデータ・レートを含む、請求項３９に記載の装置。
【請求項４５】
前記１または複数のパラメータは、前記デバイスと通信している前記基地局、および、近隣の基地局からの、前記デバイスにおいて受信された信号の相対強度を含む、請求項３９に記載の装置。
【請求項４６】
前記１または複数のパラメータは、前記デバイスの前記基地局との制御接続に関連する、請求項３９に記載の装置。
【発明の詳細な説明】
【技術分野】
【０００１】
以下の記載は、一般に無線通信に関し、さらに詳しくは、無線通信チャネルにおける干渉に関する。
【背景技術】
【０００２】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、第３世代パートナシップ計画（３ＧＰＰ）等のような仕様に準拠しうる。
【０００３】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信することができる。
【０００４】
一般に、ＭＩＭＯシステムは、データ送信のために、複数（ＮＴ個）の送信アンテナと複数（ＮＲ個）の受信アンテナとを使用する。アンテナは、基地局とモバイル・デバイスとの両方に関連しており、一例では、無線ネットワークにおけるデバイス間の双方向通信を可能とする。しかしながら、このようなシステムは、複数の送信機のための複数のアンテナのような関連付けられた干渉を有しており、複数の受信機が、同時に通信しうる。この干渉に対する以前の解決策は、モバイル・デバイスが、ほとんどの場合において最高の信号品質を有する基地局へ接続した場合に、干渉レベルを計算し、考慮することを含む。しかしながら、他の技術および機能の到来により、接続ポイントの優先度は、信号品質に基づかないかもしれない。
【発明の概要】
【０００５】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。この唯一の目的は、後に示されるより詳細な記載に対する前置きとして、簡略化された形式で１または複数の実施形態のいくつかの概念を表すことである。
【０００６】
１または複数の実施形態および対応する開示によれば、さまざまな態様が、別の送信デバイスが受信機と通信することを可能にするために、１または複数の送信デバイスの通信チャネルをブランキングすることを容易にすることに関連して記載される。ここで、ブランキングする送信デバイスは一般に、別の送信デバイスおよび受信機と干渉する。この点において、受信デバイスは、必ずしも最高の信号対雑音比（ＳＮＲ）を持つ送信デバイスではない送信デバイスと通信しうる。したがって、受信機が通信する基地局には、ダイバーシティが存在する場合がある。
【０００７】
関連する態様によれば、無線通信ネットワークにおけるデバイスのパフォーマンスに関する１または複数のパラメータを受信することと、１または複数のパラメータに少なくとも部分的に基づいて、デバイスへの干渉を判定することと、を含む方法が提供される。この方法はまた、インタレースのサブセットにおけるデバイスへの干渉を緩和するために、基地局と通信するためにデバイスによって利用されるインタレースのサブセットにおける送信をブランキングすることを含む。
【０００８】
別の態様は、無線通信装置に関する。この無線通信装置は、基地局と通信しているデバイスのパフォーマンスに関する１または複数のパラメータを取得し、１または複数のパラメータに少なくとも部分的に基づいて、無線通信装置によるデバイスへの干渉を検出する、ように構成された少なくとも１つのプロセッサを含みうる。少なくとも１つのプロセッサはさらに、リソースのサブセットにおける干渉を緩和するために、基地局と通信するためにデバイスによって利用されるリソースのサブセットにおける送信をブランキングするように構成されている。この無線通信装置はまた、少なくとも１つのプロセッサに接続されたメモリをも備える。
【０００９】
また、別の態様は、装置に関する。この装置は、無線通信ネットワークにおけるデバイスのパフォーマンスに関する１または複数のパラメータを受信する手段と、１または複数のパラメータに少なくとも部分的に基づいて、デバイスへの干渉を検出する手段と、を含む。この装置はまた、無線通信ネットワークにおいて通信しているデバイスによって利用されているリソースのサブセットにおける送信をブランキングする手段をも含む。
【００１０】
また別の態様は、コンピュータ・プログラム製品に関する。このコンピュータ・プログラム製品は、少なくとも１つのコンピュータに対して、無線通信ネットワークにおけるデバイスのパフォーマンスに関する１または複数のパラメータを受信させるためのコードと、少なくとも１つのコンピュータに対して、１または複数のパラメータに少なくとも部分的に基づいて、デバイスへの干渉を判定させるためのコードと、を含むコンピュータ読取可能な媒体を有しうる。このコンピュータ読取可能な媒体はさらに、少なくとも１つのコンピュータに対して、リソースのサブセットにおけるデバイスへの干渉を緩和するために、基地局と通信するためにデバイスによって利用されるリソースのサブセットにおける送信をブランキングさせるためのコードをも備えうる。
【００１１】
さらに、さらなる態様は、無線通信ネットワークにおけるデバイスのパフォーマンスに関する１または複数のパラメータを取得する干渉情報受信機と、１または複数のパラメータに少なくとも部分的に基づいて、デバイスへの干渉を識別する干渉レベル判定部とを含む装置に関する。この装置はさらに、無線通信ネットワークにおいて通信しているデバイスによって利用されるリソースのサブセットにおける送信をブランキングするインタレース・ブランカを含みうる。
【００１２】
前述した目的および関連する目的を達成するために、１または複数の実施形態は、後に十分に記載され、特許請求の範囲において特に指摘されている特徴を備える。以下の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１３】
【図１】図１は、本明細書に記載されたさまざまな態様にしたがう無線通信システムの例示である。
【図２】図２は、無線通信環境内で適用するための通信装置の例の例示である。
【図３】図３は、帯域幅のうち支配的に干渉を受けている部分におけるブランキングおよび送信を有効にする無線通信システムの例の例示である。
【図４】図４は、デバイスへの干渉を緩和するためにインタレースのサブセットにおける送信をブランキングする無線通信システムの例の例示である。
【図５】図５は、干渉を緩和するために逆方向リンク・インタレースのサブセットにおける送信をブランキングする無線通信システムの例の例示である。
【図６】図６は、互いに干渉するデバイスの帯域幅の例の例示である。
【図７】図７は、帯域幅のうちの１または複数の部分のブランキングを容易にする方法の例の例示である。
【図８】図８は、帯域幅のうちの１または複数の部分のブランキングを要求することを容易にする方法の例の例示である。
【図９】図９は、無線ネットワークにおける通信のためにデバイスによって利用されるインタレースのサブセットにおける送信をブランキングすることを容易にする方法の例の例示である。
【図１０】図１０は、帯域幅のうちの１または複数の部分におけるブランキングを要求することを容易にするモバイル・デバイスの例の例示である。
【図１１】図１１は、帯域幅のうちの１または複数の部分におけるブランキングを容易にするシステムの例の例示である。
【図１２】図１２は、本明細書で開示されたされたさまざまなシステムおよび方法と共に適用されうる無線ネットワーク環境の例の例示である。
【図１３】図１３は、帯域幅のうちの１または複数の部分をブランキングするシステムの例の例示である。
【図１４】図１４は、帯域幅の各部分のブランキングの要求およびデータの送信を行うシステムの例の例示である。
【図１５】図１５は、インタレースの１または複数のサブセットにおける送信をブランキングするシステムの例の例示である。
【発明を実施するための形態】
【００１４】
さまざまな実施形態が、全体を通じて同一要素を示すために同一の参照番号が使用される図面を参照して説明される。以下の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００１５】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／または、コンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能な媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１６】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００１７】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能なデバイス、キャリア、または媒体からアクセスすることが可能なコンピュータ・プログラムを含むことが意図される。例えば、コンピュータ読取可能な媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取な可能な媒体を表すことができうる。用語「機械読取可能な媒体」は、限定されることなく、無線チャネル、および、命令群および／またはデータを格納、包含、および／または搬送することができるその他任意の媒体を含みうる。
【００１８】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からの文書に記述されている。ＣＤＭＡ２０００およびＵＭＢは、「第３世代パートナシップ計画プロジェクト」（３ＧＰＰ２）と命名された組織からの文書に記載されている。
【００１９】
図１に示すように、本明細書に記載されたさまざまな実施形態にしたがった無線通信システム１００が例示されている。システム１００は、複数のアンテナ・グループを含みうる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。これらのおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２０】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６，１２２は例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８と逆方向リンク１２０とが、共通の周波数帯域を使用し、順方向リンク１２４と逆方向リンク１２６とが、共通の周波数帯域を使用することができる。
【００２１】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６，１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６，１２２は、図示するように、ピア・トゥ・ピアまたはアド・ホック技術を用いて互いにダイレクトに通信しうる。
【００２２】
例によれば、システム１００は、複数入力複数出力（ＭＩＭＯ）通信システムでありうる。さらに、システム１００は、（例えば、順方向リンクや逆方向リンクのような）通信チャネルを分割するために、例えばＦＤＤ、ＴＤＤ等のような実質的に任意のタイプのデュプレクス技術を使用しうる。通信チャネルは、１または複数の論理チャネルを備えうる。このような論理チャネルは、モバイル・デバイス１１６，１２２と基地局１０２との間で（または、例えば、ピア・トゥ・ピア構成では、モバイル・デバイス１１６からモバイル・デバイス１２２へ）制御データを送信するために提供されうる。一例において、モバイル・デバイス１１６，１２２は、割り当てられた通信チャネルに関するパラメータを示すために、基地局１０２にチャネル品質情報（ＣＱＩ）情報を送信しうる。このＣＱＩ制御データに基づいて、基地局１０２は、例えば、モバイル・デバイス１１６および／またはモバイル・デバイス１２２へ追加の通信チャネル・リソースを割り当てうる。これに加えて、基地局１０２は、例えば、モバイル・デバイス１１６，１２２からデータを受信したことに関するアクノレッジメント情報のような制御データを、制御チャネルを介してモバイル・デバイス１１６および／またはモバイル・デバイス１２２へ送信しうる。
【００２３】
例において、基地局１０２は、基地局１０２が強い干渉体である場合に、基地局と別の基地局との通信を可能にするために、チャネルの一部をブランキングしうる。これは、チャネルを送信するために利用される電力を下げることを意味する。したがって、デバイスは、希望、また必ずしも必要という訳ではないが地理的な希望、あるいは、最大信号対雑音比（ＳＮＲ）に基づいて、アクセス・ポイントまたは基地局へ接続しうる。例えば、図示していないが、モバイル・デバイス１２２は、基地局１０２よりも低いＳＮＲを有する他の基地局と通信しうる。したがって、基地局１０２は、モバイル・デバイス１２２のために良好な信号を有しているので、この通信と干渉する。モバイル・デバイス１２２が、他の基地局と効果的に通信することを可能にするために、基地局１０２は、モバイル・デバイス１２２が、他の基地局と通信するためにこれらチャネルを利用できるように、あるチャネルにおける送信をブランキングしうる。ブランキングは、チャネルから全体の電力を取り除くことが可能であるが、必ずしもそれを伴う必要はないことが認識されるべきである。さらに、ブランキングにおいて取り除かれる電力は設定可能であるか、および／または、例えば、デバイスと通信するための特定の要件、または、測定された干渉レベルに基づきうる。基地局１０２がダウンリンクの制御チャネルをブランキングすることに加えて、あるいは、その代わりに、モバイル・デバイス（単数または複数）１１６および／または１２２が、例えば、アップリンクの制御チャネルをブランキングしうることが認識されるべきである。
【００２４】
ブランキングが、他のデバイスが通信することを可能にするために、チャネルへの電力を低減することを含む場合、ブランキングしている基地局１０２と通信しているデバイス（例えば、モバイル・デバイス１１６）は未だに、ブランキングされたチャネルでデータを受信しうる。しかしながら、ＳＮＲは、通常の送信ほど高くない（例えば、通信は、深いフェードとして見える）。さらに、ブランキングされた帯域幅は、一例では、ブランキングされていないチャネルにおいて送信するために利用される電力を増加させることによって、基地局１０２によって補償されうる。リソースにおける送信をブランキングすることは、ＯＦＤＭＡ構成に限定されず、この構成は、説明を助けるために示されていることが認識されるべきである。例えば、実質的にどのような無線通信構成であっても、ここに記載された機能を利用しうる。
【００２５】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信装置２００は、通信装置２００によって引き起こされる他の通信デバイスとの干渉に関連する情報を受信しうる干渉情報受信機２０２と、干渉に関連する情報に少なくとも部分的に基づいて、ある通信帯域幅の部分をブランキングしうる帯域幅ブランカ２０４と、通信帯域幅で送信し、帯域幅ブランカ２０４によって判定された帯域幅部分のブランキング状況に少なくとも部分的に基づいて、送信電力を低減または増加させうる送信機２０６と、を含みうる。
【００２６】
例によれば、干渉情報受信機２０２は、通信装置２００の、他のデバイス間の他の通信との干渉に関連する情報を獲得しうる。この情報は、通知装置２００によって識別または推論されうるか、および／または、１または複数の他のデバイスまたは構成要素によって提供されうる。この情報は、互いに通信するために、他のデバイスによって利用されうる帯域幅部分を備えうる。一例では、これら部分は、例えば制御データのような重要なデータのために利用されうる。例えば、ＯＦＤＭＡ無線ネットワーク構成では、この情報は、通信装置２００によって干渉を受ける、通信中の他のデバイスによって、制御チャネルまたはその他のチャネルとして利用される１または複数のサブキャリアの場所を備えうる（例えば、通信装置２００は、関連する帯域幅またはチャネル（単数または複数）を用いて、他のデバイスと通信しうる）。さらに、例えば、この情報は、本明細書においてさらに説明するように、他のデバイス間で制御データを通信するために利用されるインタレースの数（例えば、周期的なサブフレームのセット）を示しうる。帯域幅ブランカ２０４は、受信された情報において示されるチャネル（または、これらのサブキャリア）のうちの１または複数をブランキングしうる。
【００２７】
説明するように、ブランキングは、チャネルのために送信機２０６によって利用される実質的にすべての送信電力を、または、この電力の一部を取り除くことを含みうる。別の例では、受信された情報はさらに、通信装置２００の干渉レベルを含みうる。これによって、帯域幅ブランカ２０４は、全電力を取り除くのではなく、ブランキングされたチャネル（単数または複数）または帯域幅部分で送信する際に送信機２０６によって使用される電力を低減し、低減されたレベルは、受信された干渉レベルに対応するようになる。チャネルがブランキングされると、他のデバイスは、通信装置２００からの干渉無しで、所望の通信を達成しうる。通信装置２００は、干渉情報受信機２０２を介して干渉情報を受信しても、チャネルまたは帯域幅の別の部分をいつブランキングするのかを判定しうることが認識されるべきである。例えば、干渉情報受信機２０２は、（例えば、ＯＦＤＭＡ構成において）ブランキングするあるチャネルに関する情報を受信しうるが、必ずしもおのおのの物理フレームにおけるすべてのチャネルをブランキングする必要はなく、実際、帯域幅ブランカ２０４は、ある物理フレームのみ、および、ある制御チャネルのみブランキングすることを選択しうるか、あるいは、まったくブランキングしないことを選択しうる。一例では、帯域幅ブランカ２０４はさらに、ブランキングされていない帯域幅の部分の送信電力を上げるために利用されうる。一例では、これは、ブランキング中に失われる帯域幅を考慮しうる。
【００２８】
一例によれば、通信装置２００は、帯域幅ブランカ２０４がブランキングする帯域幅部分に関するブランキング情報を、１または複数の別の通信デバイスへ通信しうる。この点に関し、デバイスは、互いとの信頼できる通信を保証するために、ブランキングに依存し、データ（例えば、制御データまたはその他）を送信しうる。また、逆に、他のデバイスのうちの１または複数が、通信装置２００によって利用されるチャネルをブランキングしうる。したがって、通信装置２００は、応答として、他のデバイスがブランキングすることを望みうる帯域幅部分とともにブランキング情報を送信しうる。必ずしも図示されているすべての構成要素が必要とされる訳ではないことが認識されるべきである。例えば、干渉情報受信機２０２は、オプションであり、帯域幅ブランカ２０４が、別の通信装置の制御チャネルをブランクしうる。一例では、ヘテロジニアスな構成の場合、帯域幅ブランカ２０４は、低電力の通信装置の制御チャネルをブランキングしうる。
【００２９】
図３に示すように、帯域幅の関連する部分をブランキングすることによって、１または複数のデバイスの支配的な干渉を緩和しうる無線通信システム３００が例示されている。このシステム３００は、複数の別のモバイル・デバイス（図示せず）と通信しうる基地局３０２を含む。モバイル・デバイス３０４は、無線通信サービスを容易にするために基地局３１８と通信する。基地局３１８は、順方向リンク・チャネルでモバイル・デバイス３０４へ情報を送信しうる。基地局３１８はさらに、逆方向リンク・チャネルでモバイル・デバイス３０４から情報を受信しうる。さらに、システム３００は、ＭＩＭＯシステムでありうる。それに加えて、システム３００は、ＯＦＤＭＡ無線ネットワーク（例えば、３ＧＰＰ）で動作しうる。さらに、一例において、基地局３０２，３１８において図示および以下に説明されている構成要素および機能は、その逆に、１つの別のモバイル・デバイスおよび／またはモバイル・デバイス３０４にも存在しうる。そして、図示する構成は、説明を簡単にするために、これら構成要素を除外している。
【００３０】
基地局３０２は、基地局３０２の（例えば、モバイル・デバイス３０４および基地局３１８のような）他の通信デバイスとの干渉に関する情報を取得しうる干渉情報受信機３０６と、他のデバイスに関する基地局３０２の干渉レベルを決定または推論するために利用されうるパス・ロス推定器３０８と、上述したように他のデバイスによって利用されるチャネルをブランキングしうるチャネル・ブランカ３１０と、基地局３０２が通信している他のデバイスにデータを送信する送信機３１２と、を含む。一例において、干渉情報受信機３０６は、基地局３０２が干渉している通信に関する情報を受信しうる。これに加えて、あるいは代替案として、パス・ロス推定器３０８は、基地局３０２と、（例えば、モバイル・デバイス３０４のような）基地局３０２の干渉を介した通信を試みているデバイスとの間で推定されるパス・ロスに少なくとも部分的に基づいて、基地局３０２の干渉レベルを判定しうる。この例では、例えば、情報は、パス・ロス推定から識別されるので、干渉情報受信機３０６は、必要ではないかもしれないことが認識されるべきである。チャネル・ブランカ３１０は、この情報を受信すると、干渉しているチャネルのうちの１または複数をブランキング（例えば、実質的な全電力または一部を除去）しうる。送信機３１２は、他のデバイスが、基地局３０２からの干渉無しで（あるいは、実質的に少ない干渉で）通信することを可能にする割当電力で送信しうる。
【００３１】
モバイル・デバイス３０４は、無線通信のためのアクセス・ポイントを選択するために使用されうるアクセス・セレクタ３１４と、１または複数の別のアクセス・ポイントまたは送信デバイスからの干渉を判定しうる干渉測定器３１６と、を含む。例によれば、モバイル・デバイス３０４は、アクセス・セレクタ３１４を用いて、無線通信を開始するための基地局または他のデバイスを選択しうる。この例において、モバイル・デバイス３０４は、基地局３１８と通信することを選択しうる。これは、例えば、提供されているサービスや、利用されているプロトコルや、モバイル・デバイス３０４またはこのユーザが基地局３０２に接続する許可を持っていなかったり、あるいは、基地局３１８がユーザの自宅または、基地局３０２に容易に到達できないサービスまたはセキュリティを提供しうる別のエリアにある制約された関連性、のようなさまざま理由による。さらに、基地局３０２，３１８は、モバイル・デバイス３０４またはこのユーザが、低いパス・ロスであるがＳＮＲが悪い等の低電力の基地局に接続することを選択しうる、ヘテロジニアスに展開されたネットワークの一部でありうる。例えば、いくつかの場合には、この基地局が低い受信電力および低いＳＮＲを有しうる場合であっても、端末は、低いパス・ロスを有する低送信電力の基地局によってサービス提供されることが好適でありうる。なぜなら、低電力の基地局は、ネットワークに対して全体的にさほど干渉をもたらすことなく、モバイル・デバイスにサービス提供しうるからである。さらに、複数の低電力の基地局が、異なるユーザまたはモバイル・デバイスに同時にサービス提供し、これによって、単一のユーザ／デバイスにサービス提供する高電力の基地局に比べて、帯域幅をより効率的に活用できるようになる。
【００３２】
モバイル・デバイス３０４はさらに、ＷｉＦｉホットスポット、別のモバイル・デバイス、または、その他実質的に任意の送信エンティティと通信することを選択しうることが認識されるべきである。基地局３０２に近接していること、および／または、基地局３０２の送信強度により、モバイル・デバイス３０４と基地局３１８との間の通信リンク上で干渉が生じうる。一例において、この干渉は、ブランキング要求のために、干渉測定器３１６によって測定され、基地局３０２へ送信されうる。１より多くの基地局が、支配的な干渉体となることができ、もって、ブランキング要求は、複数の干渉体のうちの実質的に任意の数の干渉体に送信されうることが認識されうる。
【００３３】
例によれば、基地局３０２は、基地局３０２が、モバイル・デバイス３０４／基地局３１８通信への支配的な干渉体であると判定しうる。これは、例えば、モバイル・デバイス３０４のプリアンブル送信および／またはパイロット送信を見ることによって判定されうる。そして、プリアンブルを用いて、パス・ロス推定器３０８によって、モバイル・デバイス３０４によるプリアンブルの送信電力比と、基地局３０２によって受信されたプリアンブルの品質とを備えるパス・ロスが推定されうる。パス・ロスが（例えば、指定されたしきい値よりも）低い場合、基地局３１８との通信に関してパス・ロスが悪くなるとの示唆に少なくとも部分的に基づいて、基地局３０２が支配的な干渉体であると考えられうる。実際、この情報は、一例において、より決定論的な計算のためにも同様に取得されうる。この情報は、モバイル・デバイス３０４から受信されたもの（例えば、モバイル・デバイス３０４は、基地局３１８によって送信されたプリアンブルを用いてパス・ロスを判定しうる）や、無線通信ネットワークの他の構成要素（例えば、基地局３１８またはその他のネットワーク構成要素）から受信されたもの等を含み、実質的に任意の方法および／またはデバイスから獲得されうる。
【００３４】
一例では、基地局３０２が、支配的な干渉体であると判定されると、干渉情報受信機３０６は、モバイル・デバイス３０４によって利用されている、干渉を受けているチャネル位置を受信または推論しうる。一例において、このチャネル位置は、例えば制御チャネルのような重要なチャネルでありうる。基地局３０２は、関連するチャネルのために送信機３１２によって使用される送信電力をブランキングするために、チャネル・ブランカ３１０を利用しうる。ブランキングは、所与のチャネルについて、送信機３１２から実質的にすべての電力を除去すること、および／または、単に電力を低減することを含みうる。この場合、ブランキングは、基地局３０２が通信する他のデバイスに対して深いフェードとして見え、通信に対して悪影響をほとんどもたらさないかもしれない。さらに、ブランキングの一部として、電力が、多様な程度で低減され、一例では、この程度は、パス・ロス推定器３０８からのパス・ロスに基づきうる。例えば、基地局３０２からモバイル・デバイス３０４へのパス・ロスが、基地局３１８およびモバイル・デバイス３０４のものに類似している場合、ブランキングの程度は、基地局３０２のパス・ロスが、基地局３１８に関するものよりも十分に低い場合ほど本質的である必要はなくてよい。さらに、基地局３０２は、ブランキングされていないチャネルの間は、送信に使用される電力を増加させうる。前述したように、本明細書に記載される態様は、チャネルに限定されないが、ブランキングが帯域幅の関連部分に関してなされうるように、帯域幅の実質的に任意の部分を用いて利用されうることが認識されるべきである。一例において、以下にさらに詳しく説明するように、帯域幅の一部は、例えばＬＴＥのような技術において、サブフレームのインタレースのサブセットに関連しうる。別の例では、帯域幅の各部分は、サブフレームのサブセット、キャリアのサブセット等に関連しうる。さらに、ブランキングされた帯域幅の各部分は、一例では、所与の期間について変化しうる。
【００３５】
別の例では、ブランキングは、基地局３０２が、モバイル・デバイス３０４のための所与のチャネルをブランキングする場合、（構成要素は図示されていないが、前述したように存在しうる）モバイル・デバイス３０４が、基地局３０２によって利用されているチャネルをブランキングできるように相互的でありうる。したがって、基地局３０２は、モバイル・デバイス３０４に対して、基地局３０２が、モバイル・デバイス３０４／基地局３１８通信のダウンリンクにおける制御チャネルをブランキングしていることを通知しうる。そして、モバイル・デバイス３０４は、これに対応して、基地局３０２と他のデバイスとの間の通信に関するアップリンク制御チャネルをブランキングしうる。これは望ましいことでありうる。なぜなら、例えば、パス・ロスは、アップリンクおよびダウンリンクで類似しうるからである。制御チャネル位置に関する情報は、基地局３０２およびモバイル・デバイス３０４（および／または基地局３１８）によって交換され、受信デバイスのアクティビティから推論され、無線通信ネットワークの別の構成要素から受信され、１または複数の設定パラメータとして設定されうる等であることが認識されるべきである。
【００３６】
また別の例では、モバイル・デバイス３０４は、干渉測定器３１６を用いて、関連するチャネルにおける基地局３０２の干渉レベルを判定し、関連するチャネルを基地局３０２がブランキングするように明示的に要求しうる。例えば、モバイル・デバイス３０４は、専用の制御チャネル、データ・チャネル等によって、基地局３０２へこの要求を送信しうる。さらに、モバイル・デバイス３０４は、例えば、別のネットワーク構成要素を用いて、基地局３１８と基地局３０２との間のバックホール・リンク、および／または、中間構成要素を用いて、例えば基地局３１８のような他の構成要素を利用し、この要求を、基地局３１８へのオーバ・ザ・エア送信を介して、基地局３０２へ送信する。別の例では、基地局３０２は、エリア中をローミングしている他のモバイル・デバイスから、基地局３１８によって利用される制御チャネルに関する情報を受信しうる。
【００３７】
ブランキング要求は、あるチャネル、指定された期間における帯域幅の部分（例えば、サブキャリア）等に関連しうる。ブランキング要求はまた、一例において、時間にわたる反復係数、または、例えば、１または複数のフレームまたはＯＦＤＭシンボルのようなその他の帯域幅測定値を備えうる。さらに、あるいは、代わりに、モバイル・デバイス３０４は、ブランキングを行うことを希望する各場合において、ブランキングを求める要求を送信しうる。基地局３０２は、この要求を許可する必要がないこと、あるいは、この要求の一部を許可しうることが認識されるべきである。確かに、基地局３０２はまた、完全にアクティブな状態にある訳ではないモバイル・デバイス３０４のためのアクティビティ・インタバルに関する情報を受信し、モバイル・デバイス３０４がアクティブであるインタバルにおいてのみブランキングしうる。さらに、例えば、基地局３０２は、決定されたブランキング・スキームをモバイル・デバイス３０４へ送信しうるので、モバイル・デバイス３０４は、基地局３１８との確実な通信を保証するために、この情報を有利に使用しうる。ブランキング情報は、ブランキングを求める要求を送信するために、記載された技術のうちの１または複数を用いて送信されうることが認識されるべきである。さらに、基地局３０２は、ブランキングが要求されない場合、送信のための電力を増加させうる。記載された機能は、その逆に、基地局３０２が、モバイル・デバイス３０４に図示された構成要素を備えうる場合にもアップリンク・チャネルのために実施されうることが認識されるべきである。この点に関し、基地局３０２は、モバイル・デバイス３０４がアップリンク制御チャネルをブランキングし、モバイル・デバイス３０４がサブキャリアの一部における要求を許可しうる。さらに、説明した機能を実現するために、列挙された必ずしもすべての構成要素が必要とされている訳ではなく、図示したように、干渉情報受信機３０６は、すべての構成において必ずしも必要である訳ではない。
【００３８】
図４に移って、無線ネットワーク内の他のデバイス間の通信と干渉するものと判定されたインタレースのサブセットをブランキングすることを容易にするシステム４００の例が例示されている。システム４００は、複数の別のモバイル・デバイス（図示せず）と通信しうる基地局３０２を含む。モバイル・デバイス３０４は、無線ネットワークへのアクセスを提供しうる基地局３１８と通信している。基地局３１８は、順方向リンク・チャネルでモバイル・デバイス０４へ情報を送信しうる。基地局３１８はさらに、逆方向リンク・チャネルでモバイル・デバイス３０４から情報を受信しうる。さらに、システム３００は、ＭＩＭＯシステムでありうる。それに加えて、システム３００は、ＯＦＤＭＡ無線ネットワーク（例えば、３ＧＰＰ）で動作しうる。さらに、基地局３０２，３１８内に図示され、以下に説明される構成要素および機能は、一例として、逆に、互いに、および／または、モバイル・デバイス５０２，３０４内にも存在しうる。そして、図示する構成は、説明を簡単にするために、これら構成要素を除外している。さらに、図３における基地局３０２および／またはモバイル・デバイス３０４は、インタレース・ブランキングのためのみならず、図３に記載された一般的なチャネル・ブランキングのために、類似した干渉レポートのような類似機能を容易にするため、図４に示されるモバイル・デバイス３０４および基地局３０２の構成要素を含みうる。この逆も可能である。
【００３９】
基地局３０２は、基地局３０２の、（例えば、モバイル・デバイス３０４および基地局３１８のような）他の通信デバイスとの干渉に関する情報を取得しうる干渉情報受信機３０６と、基地局３０２が、インタレースのサブセットで通信しているデバイスと、しきいレベルで、またはしきいレベルを超えて干渉しているか否かを識別する干渉レベル判定器４０２と、インタレースのサブセットにおける送信をブランキングするインタレース・ブランカ４０４と、基地局３０２が通信している他のデバイスへデータを送信する送信機３１２とを含む。モバイル・デバイス３０４は、無線通信のためのアクセス・ポイントを選択するために使用されうるアクセス・セレクタ３１４と、モバイル・デバイス３０４の通信パフォーマンスに関する１または複数のパラメータを決定し、１または複数の基地局へ提供するデバイス・パフォーマンス・レポータ４０６と、モバイル・デバイス３０４が１または複数の基地局へ制御データを送信するリソースのセットを指定する制御リソース・インジケータ４０８と、を含む。
【００４０】
インタレースは、本明細書で説明しているように、周期的なサブフレームのセットに関連しうる。例えば、ＬＴＥでは、送信帯域幅が、時間的に、サブフレームの単位に分割されうる。これらは、時間に対する周波数部分である。逆方向リンクでは、サブフレームで送信されたパケットは、後に８サブフレームで再送信される。順方向リンクでは、サブフレームで送信されたパケットは、後に少なくとも８サブフレームで再送信される。したがって、ＬＴＥにおける送信帯域幅は、８サブフレームのインタレースに分割されうる。この点に関し、インタレース０は、サブフレーム０，８，１６，・・・を含み、インタレース１は、サブフレーム１，９，１７，…を含むといった具合である。さらに、ＬＴＥ割当およびアクノレッジメント・タイムラインによって、順方向リンクにおいてインタレース０おけるデータ送信を制御するために使用される制御チャネル（例えば、割当、アクノレッジメント等）が、順方向リンク・インタレース０と逆方向リンク・インタレース４に制限されうる（そして、ＬＴＥにおいて、インタレース１における送信が、順方向リンク・インタレース１と逆方向リンク・インタレース５に制限されうる等）ようになる。同様に、インタレース４における逆方向リンク・データ送信を制御するために使用される制御チャネルは、順方向リンク・インタレース０に限定されうる等でありうる。この点に関し、基地局３０２は、基地局３０２の送信帯域幅におけるブランキングの影響を最小化するために、インタレースのサブセットをブランキングしうる。
【００４１】
例によれば、モバイル・デバイス３０４は、以前に説明したように、アクセス・セレクタ３１４を用いて、無線通信を開始するための基地局３１８を選択しうる。デバイス・パフォーマンス・レポータ４０６は、基地局３１８と通信することに関する１または複数の通信パフォーマンス・メトリックを決定しうる。デバイス・パフォーマンス・レポータ４０６は、モバイル・デバイス３０４との実際のまたは可能性のある干渉を判定することを容易にするために、この情報を基地局３０２へ提供しうる。さらに、制御リソース・インジケータ４０８は、基地局３０２に対して、１または複数の制御リソース（例えば、チャネルまたはその他のリソース・ユニット）、および／または、制御データを基地局３１８へ送信するためにモバイル・デバイス３０４によって利用されるインタレースのサブセットを通知しうる。
【００４２】
一例において、干渉情報受信機３０６は、パフォーマンス・メトリックおよび／または制御リソース情報を取得しうる。干渉レベル判定器４０２は、パフォーマンス・メトリックに少なくとも部分的に基づいて、基地局３０２が、インタレースのサブセットにおいて、モバイル・デバイス３０４および／または基地局３１８と干渉するか否かを検出する。例えば、デバイス・パフォーマンス・レポータ４０６は、基地局３０２および基地局３１８からの信号の受信相対強度を計算し、これら測定値を、基地局３０２へ提供しうる。干渉情報受信機３０６は、これら測定値を受信しうる。そして、干渉レベル判定器４０２は、基地局３０２がモバイル・デバイス３０４／基地局３１８通信と、しきいレベルで、または、しきいレベルを超えて干渉しているかを区別するために、この強度が、しきい差分を超えているか、しきい差分未満であるかを識別しうる。別の例では、デバイス・パフォーマンス・レポータ４０６によって収集され提供されたメトリックは、データ・レート、レイテンシ、サービス品質（ＱｏＳ）、または、基地局３１８と通信することに関連するその他のメトリックに関連しうる。干渉レベル判定器４０２も同様に、基地局３０２による干渉がレベルにあるか、または、レベルを超えているかを判定するために、これらメトリックを、しきいレベルと比較しうる。
【００４３】
また別の例では、デバイス・パフォーマンス・レポータ４０６は、例えば、基地局３１８によって制御接続のために割り当てられた少数のインタレースによって引き起こされるデータ・レート制限のような、モバイル・デバイス３０４における貧弱なパフォーマンスに関する１または複数のファクタを決定しうる。同様に、干渉情報受信機３０６は、これらファクタを取得し、干渉レベル判定器４０２は、基地局３０２が、基地局３１８と通信しているモバイル・デバイス３０４に対して、しきいレベルで干渉しているか、または、しきいレベルを超えて干渉しているかを判定しうる。一例において、干渉レベル判定器４０２は、前述したメトリックまたはファクタを、基地局３０２によってサービス提供される（図示しない）１または複数の他のデバイスに関するメトリックまたはファクタと比較しうる。
【００４４】
例えば、これは、干渉レベル判定器４０２が、モバイル・デバイス３０４に対する制御接続ゲインに対するインタレースのサブセットをブランキングの結果として、基地局３０２によってサービス提供された１または複数の他のデバイスに対する帯域幅ロスを評価することを含みうる。例えば、干渉レベル判定器４０２は、この評価を実行する際に、上述したように、ブランキングの結果として、干渉情報受信機３０６によって受信されたメトリックに対する改善を計算または推定する。説明するように、メトリックは、信号強度、データ・レート、レイテンシ、ＱｏＳ、貧弱なパフォーマンスに関するファクタ、制御接続等に関連しうる。したがって、メトリックに対して計算された改善は、例えば、ブランキングによって引き起こされたデータ・レート、レイテンシ、またはＱｏＳにおける推定された改善でありうる。一例において、干渉レベル判定器４０２は、（仕様や設定で定義され、基地局３０２においてハードコード等されうる）モバイル・デバイスに対する最小オペラビリティ規格または公平レベルを保証することに基づいて、基地局３０２の干渉のレベルを区別しうる。したがって、例えば、インタレースをブランキングしていない基地局３０２が、モバイル・デバイス３０４をサービス・レベル未満にする場合、干渉レベル判定器４０２は、基地局３０２がしきいレベルを超えて干渉していると判定しうる。同様に、インタレースのサブセットにおけるブランキングが、サービス提供されているモバイル・デバイスのサービス・レベルを下げるであろう場合、干渉レベル判定器４０２は、基地局３０２が、しきいレベルを超えて干渉するとは判定しないことがありうる。
【００４５】
また別の例では、干渉レベル判定器４０２は、基地局３１８と通信するモバイル・デバイス３０４と、基地局３０２と通信するデバイスとに対するサービスのレベルを平準化するために、インタレースのサブセットの一部のみにおいて、基地局３０２が、しきいレベルで、または、しきいレベルを超えて干渉するものと判定しうる。別の例では、干渉情報受信機３０６は、モバイル・デバイス３０４、基地局３１８、コア・ネットワーク、１または複数の無線ネットワーク・デバイス等から、モバイル・デバイス３０４と基地局３１８との間の通信の支配的な干渉体であるとの通知を受信しうる。さらに、例えば、この通知は、オーバ・ザ・エアや、バックホール・リンク等によって受信されうる。一例において、デバイス・パフォーマンス・レポータ４０６は、基地局３１８へメトリックを提供しうる（および／または、基地局３１８が、例えば、モバイル・デバイス３０４から受信した制御データに基づいて、類似のメトリックを測定しうる）。そして、基地局３１８は、このメトリックを、バックホール・リンクによって基地局３０２へ通信しうる。
【００４６】
何れの場合も、制御リソース・インジケータ４０８は、基地局３１８と通信する制御リソースを基地局３０２に指定しうる。これは、説明しているように、制御通信のために利用されるインタレースのサブセットを含みうる。前述したように判定されるように、基地局３０２がしきいレベルを超えて干渉する場合、インタレース・ブランカ４０４は、インタレースのサブセットにおけるサブフレームの間、モバイル・デバイス３０４に割り当てられた、示された制御リソースにおける送信をブランキングしうる。これは、基地局３０２において送信帯域幅をブランキングすることの悪影響を最小化するために、基地局３０２による通信のために、残りのインタレースを自由にする。
【００４７】
図５に移って、無線ネットワークにおける他のデバイス間の通信と干渉していると判定されたインタレースのサブセットにおける逆方向リンク送信をブランキングすることを容易にするシステム５００の例が例示されている。システム５００は、無線ネットワーク・アクセスを提供するためにモバイル・デバイス５０２と通信しうる基地局３０２を含む。システム５００はまた、基地局３１８と通信するモバイル・デバイス３０４を含む。基地局３１８もまた同様に、無線ネットワークへのアクセスを提供しうる。基地局３０２，３１８はそれぞれ、順方向リンク・チャネルによって、モバイル・デバイス５０２，３０４へ情報を送信しうる。さらに、基地局３０２，３１８はそれぞれ、逆方向リンク・チャネルによって、モバイル・デバイス５０２,３０４から情報を受信しうる。さらに、システム３００は、ＭＩＭＯシステムでありうる。それに加えて、システム３００は、ＯＦＤＭＡ無線ネットワーク（例えば、３ＧＰＰ）で動作しうる。さらに、基地局３０２，３１８内に図示され、以下に説明される構成要素および機能は、一例として、逆に、互いに、および／または、モバイル・デバイス５０２，３０４内にも存在しうる。そして、図示する構成は、説明を簡単にするために、これら構成要素を除外している。さらに、図３における基地局３０２および／またはモバイル・デバイス３０４は、例えば、インタレースのみならず、一般的なチャネル、または、図３に記載されるような帯域幅のその他の部分をブランキングするモバイル・デバイスと同様の機能を容易にするために、逆に、図５に図示される基地局３０２およびモバイル・デバイス３０４の構成要素を含みうる。
【００４８】
基地局３０２は、基地局３０２によってサービス提供されるモバイル・デバイスのパフォーマンスに関するメトリックを計算または受信するデバイス・パフォーマンス測定器５０４と、基地局３０２と通信する１または複数のデバイスのパフォーマンスに関する情報を示すデバイス・パフォーマンス・レポータ５０６と、基地局３０２と通信する１または複数のデバイスによって利用される制御リソースを指定する制御リソース・インジケータ４０８と、を含む。モバイル・デバイス３０４は、近隣の基地局と通信する１または複数のデバイスへの干渉に関する情報を取得する干渉情報受信機３０６と、モバイル・デバイス３０４が、近隣の基地局と通信する１または複数のデバイスと、しきいレベルで干渉しているか、しきいレベルを超えて干渉しているかを区別する干渉レベル判定器４０２と、近隣の基地局と通信するために、１または複数のデバイスによって利用されるインタレースのうちの１または複数のサブセットにおける送信をブランキングするインタレース・ブランカ４０４と、を含む。
【００４９】
例によれば、デバイス・パフォーマンス測定器５０４は、基地局３０２と通信するモバイル・デバイス５０２のパフォーマンス・メトリックを決定しうる。デバイス・パフォーマンス測定器５０４は、モバイル・デバイス５０２から受信した制御データ、信号の受信相対強度、モバイル・デバイス５０２のデータ・レート等に少なくとも部分的に基づいてメトリックを計算しうる。別の例において、デバイス・パフォーマンス測定器５０４は、モバイル・デバイス５０２、コア・ネットワーク、および／または、１または複数のネットワーク・デバイスからメトリックを受信しうる。デバイス・パフォーマンス・レポータ５０６は、モバイル・デバイス３０４が、モバイル・デバイス５０２との逆方向リンクにおいて、基地局３０２通信に対して、しきいレベルで干渉しているか、あるいは、しきいレベルを超えて干渉しているかを判定することを容易にするために、モバイル・デバイス３０４へメトリックを提供しうる。この例では、干渉情報受信機３０６が、測定値を受信し、干渉レベル判定器４０２が、モバイル・デバイス３０４がしきいレベルで干渉しているか、しきいレベルを超えて干渉していうるかを識別しうる。制御リソース・インジケータ４０８はさらに、モバイル・デバイス５０２によって利用される制御リソースの位置に関する情報（例えば、説明しているように、インタレースのサブセット、周波数、関連するサブフレーム等）をモバイル・デバイス３０４へ提供しうる。そして、干渉情報受信機３０６は、その後のブランキングのために、この位置情報を取得しうる。
【００５０】
前述したように、干渉レベル判定器４０２は、モバイル・デバイス３０４が、基地局３０２と通信しているモバイル・デバイス５０２と、しきいレベルにおいて干渉しているか、または、しきいレベルを超えて干渉しているかを区別しうる。例えば、干渉レベル判定器４０２は、制御リソースによる送信を継続することによって、制御リソースをブランキングすることによるモバイル・デバイスのパフォーマンス改善を、モバイル・デバイス３０４に対する別の改善（または、例えば、制御リソースをブランキングすることによって引き起こされるモバイル・デバイス３０４に対するパフォーマンスの低下）と比較する。この点に関し、デバイス・パフォーマンス測定器５０４は、例えば、データ・レート、レイテンシ、サービス品質（ＱｏＳ）、例えば制御データを通信するために許可されたリソースの数またはサイズのような制御接続ファクタ、モバイル・デバイス５０２のその他のメトリックのようなメトリックを収集しうる。デバイス・パフォーマンス・レポータ５０６は、モバイル・デバイス３０４にメトリックを提供しうる。干渉情報受信機３０６は、このメトリックを取得しうる。例えば、干渉情報受信機３０６は、説明するように、データ・レート、レイテンシ、ＱｏＳ、制御接続等に関する１または複数のファクタを受信しうる。干渉レベル判定器４０２は、モバイル・デバイス５０２のメトリックに基づいて、モバイル・デバイス３０４が、しきいレベルにおいて干渉しているかを識別しうる。説明するように、これは、ブランキングによって引き起こされたモバイル・デバイス３０４の類似のメトリックにおける低下と比較されたような、メトリックに対する改善（または、制御リソースをブランキングしないことによって引き起こされる、モバイル・デバイス３０４のメトリックに対する改善）を、制御リソース（例えば、インタレースのサブセット）におけるブランキングに基づいて計算することを含みうる。別の例では、説明するように、計算されたメトリックが、モバイル・デバイス３０４による干渉のレベルを判定するために、モバイル・デバイス３０４および／またはその他のモバイル・デバイスのための公平レベルまたは最小オペラビリティ規格を保証することにしたがって評価されうる。
【００５１】
また別の例では、デバイス・パフォーマンス測定器５０４は、例えば、基地局３０２による制御接続のために割り当てられた少数のインタレースによって引き起こされたデータ・レート制限のような貧弱なパフォーマンスに関する、モバイル・デバイス５０２における１または複数のファクタを決定しうる。同様に、デバイス・パフォーマンス・レポータ５０６は、これらファクタを、モバイル・デバイス３０４に通知し、干渉情報受信機３０６は、これらファクタを取得しうる。干渉レベル判定器４０２は、この制御接続ファクタに基づいて、基地局３０２と通信しているモバイル・デバイス５０２に対して、モバイル・デバイス３０４が、しきいレベルで干渉しているか、または、しきいレベルを超えて干渉しているかを判定しうる。説明するように、これは、これらファクタを、例えば、制御リソース割当の数またはサイズ、これらファクタに関する最小保証レベル等を含む制御接続ファクタのような、モバイル・デバイス３０４のローカル・ファクタと比較することを含みうる。
【００５２】
何れの場合であれ、制御リソース・インジケータ４０８は、モバイル・デバイス３０４に対して、モバイル・デバイス５０２によって制御データを通信するために利用されるインタレースのサブセットを通知しうる。干渉情報受信機３０６は、インタレースのサブセットを取得しうる。モバイル・デバイス３０４が、しきいレベルで、または、しきいレベルを超えて干渉している場合、インタレース・ブランカ４０４は、インタレースのサブセットにおけるサブフレームの間、基地局３０２によってモバイル・デバイス５０２に割り当てられ、示された制御リソースにおける送信をブランキングしうる。これは、モバイル・デバイス３０４において送信帯域幅をブランキングすることの悪影響を最小化するために、モバイル・デバイス３０４による通信のために、残りのサブフレームのインタレースを自由にする。
【００５３】
図６を参照して、他のデバイスと通信している送信機および受信機のための帯域幅の各部分の例が、図示されている。６０２では、送信機ＴＸ＿Ａのための帯域幅の部分が図示され、６０４では、受信機ＲＸ＿Ｂのための実質的に同じ時間および周波数における帯域幅の部分が図示されている。一例では、これら部分は、実質的に同じ時間および周波数のＯＦＤＭシンボルを表しうる。これら他のそれぞれのデバイスと通信するためにＴＸ＿ＡおよびＲＸ＿Ｂによって利用されるチャネルは、ＯＦＤＭシンボルの実質的に任意のサブキャリアとして示されうる。例えば６０６および６０８のように線を引かれたサブキャリアは、ブランキングが望まれるものを表し（一例では、これらサブキャリアは、１または複数の制御チャネルを備えうる）、例えば６１０，６１２のように、“Ｘ”を有するサブキャリアは、ブランキングされたサブキャリアを表しうる。
【００５４】
一例では、前述したように、ＴＸ＿Ａは、別の受信機ＲＸ＿Ａとデータを通信し、ＲＸ＿Ｂは、別の送信機ＴＸ＿Ｂと通信しうる。しかしながら、前述したように、ＴＸ＿Ａは、ＴＸ＿Ｂと通信しているＲＸ＿Ｂと支配的に干渉しうる。したがって、ＲＸ＿Ｂは、上述した技術のうちの１または複数を用いて、ＴＸ＿Ａが所望のサブキャリア（または、多くのサブキャリアによって表されうるチャネル）をブランキングすることを要求しうる。あるいは、その逆もありえる。ＲＸ＿ＢとＴＸ＿Ａとは、所望のサブキャリアを相互にブランキングしうることが認識されるべきである。図示するように、ＴＸ＿Ａは、ＲＸ＿Ｂに対して、サブキャリア６０６をブランキングするように要求しうる。これは、６１２でなされる。ＲＸ＿Ｂは、ＴＸ＿Ａに対して、サブキャリア６０８をブランキングするように要求しうる。これは、６１０でなされるといった具合である。この点に関し、ＴＸ＿ＡとＲＸ＿Ｂは、互いに干渉することなく、それぞれ別のデバイスと通信しうる。これに加えて、前述したように、ブランキングがなされないサブキャリアは、一例として、ブランキングによる帯域幅におけるロスを補償するために、高い電力で送信されうる。さらに、ブランキングは、前述したように、サブキャリアから実質的にすべての電力を除去すること、または、判定された干渉レベルにしたがって、電力を低減することを含みうる。
【００５５】
図７乃至９に示すように、干渉を受けている帯域幅の部分のブランキングに関する方法が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５６】
図７に移って、異なるデバイス間の通信における干渉を緩和するために、帯域幅の各部分におけるブランキングを容易にする方法７００の例が例示される。７０２では、支配的な干渉に関する情報が受信される。例えば、この情報は、前述したように、多くのデバイスによって受信されうるか、送信されたプリアンブルを含む多くのファクタに基づいて推論されうる。この情報は、異なるデバイスが互いに効率的に通信できなくなるように支配的な干渉が生じる帯域幅の部分を備えうる。７０４では、ブランキングされるための帯域幅の部分が決定されうる。例えば、これら部分は、支配的な干渉に関する情報の一部として、他のデバイスから要求されうる。決定された部分は、要求されたこれらのサブセットでありうる。一例において、要求された部分は、（例えば、フレームまたはＯＦＤＭシンボルのような）すべての所与の期間についての１または複数の部分として指定され、決定された部分は、期間のサブセットにありうる。さらに、または、代わりに、ブランキングする部分は、支配的な干渉情報から推論されうる。
【００５７】
７０６では、ブランキング・ファクタが決定されうる。ブランキング・ファクタは、ブランキングされた部分から電力が除去される程度を表す。例えば、ブランキング・ファクタは、実質的にすべての電力が、帯域幅の部分から除去されるべきであることを示しうる。あるいは、電力の一部が除去されうる。一例では、前述したように、干渉レベルに関する情報が受信または推論されうる。ブランキング・ファクタは、この情報を用いて、干渉を受けているデバイスが、ブランキング中にすべての電力を除去することなく、効率的に通信できるように設定されうる。７０８では、決定されたファクタにしたがって、帯域幅の各部分が、ブランキングされうる。いくつかの場合、ブランキングは、無信号ではなく、深いフェードとして受信されうることが認識されるべきである。この点に関し、ＳＮＲは、その他の送信ほど良好ではないが、ブランキングされた通信は、未だに重要である。
【００５８】
図８を参照して、支配的な干渉体から、帯域幅の各部分をブランキングすることを要求することを容易にする方法８００の例が例示される。８０２では、送信を受信している支配的な干渉体が識別される。例えば、通信は、地理的に最も望ましいという訳でも、他のアクセス・ポイントと比べて最も望ましいＳＮＲを持っている訳でもないアクセス・ポイントとの間で生じうる。しかしながら、通信は、例えば、関連付けられたサービスを利用するために、このアクセス・ポイントを用いることが望ましい。このように、通信と支配的に干渉する（例えば、最適のＳＮＲを持っているか、または地理的に望ましい）デバイスが存在しうる。８０４では、帯域幅のうちのある部分をブランキングする要求が、支配的な干渉体に送信される。前述したように、これら部分は、一例では、１または複数のＯＦＤＭシンボルのような論理通信チャネルでありうる。ブランキングを要求することによって、より信頼性の高い通信が、帯域幅の各部分にわたって達成されうる。
【００５９】
８０６では、関連するデータが、ブランキングすることを要求された帯域幅の各部分で送信されうる。一例では、関連するデータは、例えば制御データ（例えば、チャネル品質情報および／またはアクノレッジメント・データ）のように、効率的な通信のために重要なデータでありうる。ブランキングを求める要求が正しくなされ、支配的な干渉体が、データのうち、要求された部分の電力を下げたものと仮定すると、関連するデータが、実質的な干渉無く通信されうる。８０８では、帯域幅の各部分は、支配的な干渉体によるブランキングに報いるために、支配的な干渉体によって要求されたようにブランキングされうる。この点に関し、支配的な干渉体はさらに、１または複数のデバイスとの有効な通信のために、チャネルまたは帯域幅のある部分において、低減された干渉を享受しうる。
【００６０】
図９に移って、無線ネットワークにおいて通信しているデバイスへの干渉を緩和するために、インタレースのサブセットにおける送信のブランキングを容易にする方法９００の例が例示される。９０２では、デバイスのパフォーマンスに関する１または複数のパラメータが受信されうる。説明しているように、これらパラメータは、基地局との通信に関連しており、例えば、データ・レート、レイテンシ、ＱｏＳ、サービス提供基地局および近隣基地局からの信号の強度、制御接続、貧弱なパフォーマンスに関するファクタ等のようなメトリックを含みうる。さらに、前述したように、１または複数のパラメータが、デバイスから、デバイスにサービス提供する基地局から、１または複数の別のネットワーク・デバイスから、および／またはその他から、受信されうる。９０４では、１または複数のパラメータに少なくとも部分的に基づいて、デバイスへの干渉が判定されうる。したがって、例えば、パラメータがしきいレベル未満である場合、干渉が判定されうる。前述したように、干渉は、例えば、干渉を受けているリソース（例えば、インタレースのサブセット）をブランキングすることに基づいて、パラメータに対する改善を計算することや、これらパラメータおよび／または改善されたパラメータ計算を、類似のローカルなパラメータと比較すること等のように、追加のまたは代わりのさまざまなファクタから決定されうる。９０６では、送信は、干渉を緩和するために、デバイスによって利用されるリソースのサブセットをブランキングされうる。一例では、リソースのサブセットを示すインジケーションが、別の通信におけるデバイスまたは関連する基地局から受信されうる。さらに、リソースのサブセットは、説明されているように、サブフレームのサブセット、周期的なサブフレームによって定義されたインタレースのサブセット、キャリアのサブセット等に関連しうる。
【００６１】
本明細書に記載された１または複数の態様によれば、説明しているように、干渉を受けているデバイスによって、および／または、支配的な干渉体から、干渉を検出することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００６２】
例によれば、前述した１または複数の方法は、干渉を受けているデバイスのアクティビティに基づいて、支配的な干渉体であること、干渉が、異なるデバイス間の通信を禁止する程度、ブランキングする帯域幅の部分に関する推論を行うことと、ブランキング・ファクタを決定することと、ブランキングを補償するために電力が増加されうるチャネル、１または複数のデバイスからの相互のブランキングの確率を決定すること等、を含みうる。
【００６３】
図１０は、高く干渉を受けている帯域幅の部分をブランキングすることと、支配的な干渉体に関する帯域幅を相互にブランキングすることと、を要求することを容易にするモバイル・デバイス１０００の例示である。モバイル・デバイス１０００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１００２を備えうる。受信機１００２は、受信したシンボルを復調し、それらをチャネル推定のためにプロセッサ１００６へ提供する復調器１００４を備えうる。プロセッサ１００６は、受信機１００２によって受信された情報を分析すること、および／または、送信機１０１８による送信のための情報を生成することに特化されたプロセッサ、モバイル・デバイス１０００の１または複数の構成要素を制御するプロセッサ、および／または、受信機１００２によって受信された情報を分析することと、送信機１０１８による送信のための情報を生成することと、モバイル・デバイス１０００のうちの１または複数の構成要素を制御することとのすべて行うプロセッサでありうる。
【００６４】
モバイル・デバイス１０００は、プロセッサ１００６に動作可能に接続されたメモリ１００８をさらに備える。このメモリは、送信されるべきデータ、受信したデータ、利用可能なチャネルに関連する情報、分析された信号および／または干渉強度に関連付けられたデータ、割り当てられたチャネル、電力、レート等に関連する情報、および、チャネルの推定およびチャネルを介した通信のために適切なその他任意の情報を格納しうる。メモリ１００８はさらに、（例えば、パフォーマンス・ベース、キャパシティ・ベース等での）チャネルの推定および／または利用に関連付けられたアルゴリズムおよび／またはプロトコルを格納しうる。
【００６５】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ１００８は、限定される訳ではないが、これらおよびその他任意の適切なタイプのメモリを備えることが意図される。
【００６６】
プロセッサ１００６はさらに、１または複数の他のデバイスまたはアクセス・ポイントによる、アクセス・ポイントとの通信の干渉の存在および／または程度を検出しうる干渉判定器１０１０に動作可能に接続されうる。検出された干渉によって、モバイル・デバイス１０００は、例えば制御データのようなある関連する通信データを、他のデバイスまたはアクセス・ポイントへ効率的に送信することが阻害されうる。ブランキング・リクエスタ１０１２はまた、プロセッサ１００６に動作可能に接続されており、１または複数の干渉元のデバイスに対して、関連する通信データを送信するために、モバイル・デバイス１０００によって望まれる帯域幅の各部分をブランキングすることを求める要求を送信するために利用されうる。ブランキング要求が満足された場合、モバイル・デバイス１０００は、支配的に干渉しているデバイスからの干渉無しで、関連するデータを帯域幅で送信しうる。
【００６７】
さらに、プロセッサ１００６は、１または複数の他のデバイスによって要求されたように、帯域幅をブランキングしうる帯域幅ブランカ１０１４に動作可能に接続されうる。これは、例えば、異なるデバイス間の通信に対して、モバイル・デバイス１０００が支配的な干渉体である場合に生じうる。さらに、帯域幅ブランカ１０１４は、１または複数の他のデバイスへ関連するデータを通信するために、支配的な干渉体に関する帯域幅を相互にブランキングするために使用されうる。モバイル・デバイス１０００はさらに、信号を変調する変調器１０１６と、この信号を例えば基地局や、他のモバイル・デバイス等へ送信する送信機１０１８とを備える。プロセッサ１００６と別に図示されているが、干渉判定器１０１０、ブランキング・リクエスタ１０１２、帯域幅ブランカ１０１４、復調器１００４、および／または、変調器１０１６は、プロセッサ１００６または複数のプロセッサ（図示せず）の一部でありうることが認識されるべきである。
【００６８】
図１１は、異なるデバイス間の通信における支配的な干渉を緩和するために、帯域幅の各部分におけるブランキングを容易にするシステム１１００の実例である。このシステム１１００は、複数の受信アンテナ１１０６によって１または複数のモバイル・デバイス１１０４から信号を受信する受信機１１１０と、送信アンテナ１１０８によって１または複数のモバイル・デバイス１１０４へ信号を送信する送信機１１２４とを備える、基地局１１０２（例えば、アクセス・ポイント）を備える。受信機１１１０は、受信アンテナ１１０６から情報を受信する。さらに、受信した情報を復調する復調器１１１２と動作可能に関連付けられている。復調されたシンボルは、図１０に関連して上述されたプロセッサに類似しているプロセッサ１１１４によって分析される。プロセッサ１１１４は、信号（例えば、パイロット）強度および／または干渉強度に関連する情報、モバイル・デバイス（単数または複数）１１０４（または、（図示しない）別の基地局）との間で送信または受信されるデータ、および／または、本明細書に記載されたさまざまな動作および機能を実行することに関連するその他任意の適切な情報を格納するメモリ１１１６に接続されている。プロセッサ１１１４はさらに、（例えばモバイル・デバイス１１０４のような）１または複数のデバイスの通信との基地局１１０２の干渉に関する情報を受信しうる干渉情報受信機１１１８と、干渉を受けているデバイスが所望のデータを送信できるようにするために、（例えば、１または複数のサブキャリアから構成される１または複数のチャネルのような）帯域幅の各部分をブランキングしうるチャネル・ブランカ１１２０とに接続されている。
【００６９】
例えば、干渉情報受信機１１１８は、明示的な情報（または、ブランキング要求）を受信することによって、あるいは、例えば１または複数のデバイス（例えば、モバイル・デバイス１１０４）によって送信されたプリアンブルからのパス・ロスを推定することによりこの情報を推論することによって、基地局１１０２からの干渉の存在を判定しうる。干渉情報受信機１１１８はまた、他よりも干渉がより問題となる帯域幅の特定の部分に関する情報を受信または推論しうる。チャネル・ブランカ１１２０は、この情報を用いて、異なるデバイス（例えば、モバイル・デバイス１１０４および／またはその他のデバイス）間の異なる通信における干渉の効果を低減するために、１または複数のチャネルにおける送信電力をブランキングしうる。チャネル・ブランカ１１２０は、指定されたチャネルまたは関連するサブキャリア（単数または複数）について、送信機１１２４から実質的にすべての電力を除去すること、および／または、異なるデバイス間の通信が十分に可能である程度に、電力を低減することと、のうちの少なくとも１つによって、ブランキングしうる。さらに、プロセッサ１１１４と別に示されているが、干渉情報受信機１１１８、チャネル・ブランカ１１２０、復調器１１１２、および／または、変調器１１２２は、プロセッサ１１１４または複数のプロセッサ（図示せず）のうちの一部でありうることが認識されるべきである。
【００７０】
図１２は、無線通信システム１２００の例を示す。無線通信システム１２００は、簡潔さの目的で、１つの基地局１２１０と１つのモバイル・デバイス１２５０とを示している。しかしながら、システム１２００は、１より多い基地局、および／または、１より多いモバイル・デバイスを含むことができ、これら追加の基地局および／またはモバイル・デバイスは、以下に説明する基地局１２１０およびモバイル・デバイス１２５０の例と実質的に同じでも、別のものでもありうることが認識されるべきである。これに加えて、基地局１２１０および／またはモバイル・デバイス１２５０は、その間の無線通信を容易にするために、本明細書に記載されたシステム（図１乃至図５、図１０および図１１）、技術／構成（図６）、および／または方法（図７および図９）を適用しうることが認識されるべきである。
【００７１】
基地局１２１０では、多くのデータ・ストリームのためのトラフィック・データが、データ・ソース１２１２から送信（ＴＸ）データ・プロセッサ１２１４へ提供される。一例によれば、おのおののデータ・ストリームが、それぞれのアンテナを介して送信される。ＴＸデータ・プロセッサ１２１４は、トラフィック・データ・ストリームをフォーマットし、このデータ・ストリームのために選択された特定の符号化スキームに基づいて符号化し、インタリーブして、符号化されたデータを提供する。
【００７２】
おのおののデータ・ストリームの符号化されたデータは、直交周波数分割多重化（ＯＦＤＭ）技術を用いてパイロット・データと多重化されうる。さらに、あるいは、代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１２５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１２３０によって実行または提供される指示によって決定されうる。
【００７３】
データ・ストリームの変調シンボルは、（例えば、ＯＦＤＭのために）変調シンボルを処理するＴＸ  ＭＩＭＯプロセッサ１２２０に提供される。その後、ＴＸ  ＭＩＭＯプロセッサ１２２０は、ＮＴ個の変調シンボル・ストリームをＮＴ個の送信機（ＴＭＴＲ）１２２２ｔ乃至１２２２ａに提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００７４】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号は、ＮＴ個のアンテナ１２２４ａ乃至１２２４ｔそれぞれから送信される。
【００７５】
モバイル・デバイス１２５０では、送信された変調信号がＮＲ個のアンテナ１２５２ａ乃至１２５２ｒによって受信され、受信された信号が、各アンテナ１２５２からそれぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７６】
ＲＸデータ・プロセッサ１２６０は、ＮＲ個の受信機１２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１２６０は、検出されたおのおののシンボル・ストリームを復調し、デインタリーブし、復号して、そのデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００７７】
プロセッサ１２７０は、上述したように、どのプリコーディング行列を使用するのかを定期的に決定する。さらに、プロセッサ１２７０は、行列インデクス部およびランク値部を備えた逆方向リンク・メッセージを規定することができる。
【００７８】
逆方向リンク・メッセージは、通信リンクおよび／または受信されたデータ・ストリームに関するさまざまなタイプの情報を備えうる。逆方向リンク・メッセージは、ＴＸデータ・プロセッサ１２３８によって処理され、変調器１２８０によって変調され、送信機１２５４ａ乃至１２５４ｒによって調整され、基地局１２１０へ送り返される。ＴＸデータ・プロセッサ１２３８はまた、データ・ソース１２３６から多くのデータ・ストリームのトラフィック・データを受け取る。
【００７９】
基地局１２１０では、モバイル・デバイス１２５０からの変調された信号が、アンテナ１２２４によって受信され、受信機１２２２によって調整され、復調器１２４０によって復調され、ＲＸデータ・プロセッサ１２４２によって処理されることにより、モバイル・デバイス１２５０によって送信された逆方向リンク・メッセージが抽出される。さらに、プロセッサ１２３０は、ビームフォーミング重みを決定するためにどのプリコーディング行列を使用するかを決定するために、この抽出されたメッセージを処理する。
【００８０】
プロセッサ１２３０およびプロセッサ１２７０は、基地局１２１０およびモバイル・デバイス１２５０それぞれにおける動作を指示（例えば、制御、調整、管理等）する。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００８１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００８２】
これら実施形態が、ソフトウェア、ファームウェア、ミドルウェアあるいはマイクロコード、プログラム・コードあるいはコード・セグメントで実現される場合、これらは、例えば記憶素子のような機械読取可能な媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表しうる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００８３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８４】
図１３を参照して、支配的な干渉を緩和するために、帯域幅のうちの１または複数の部分をブランキングするシステム１３００が例示されている。例えば、システム１３００は、基地局、モバイル・デバイス等の中に少なくとも部分的に存在しうる。システム１３００は、プロセッサ、ソフトウェア、またはそれらの組み合わせ（例えば、ファームウェア）によって実現される機能を表す機能ブロックでありうる機能ブロックを含むものとして示されることが認識されるべきである。システム１３００は、連携して動作しうる電子構成要素の論理グループ１３０２を含む。例えば、論理グループ１３０２は、異なるデバイス間の異なる通信のために、無線通信装置の支配的な干渉を判定するための電子構成要素１３０４を含みうる。例えば、この干渉は、関連する情報を受信すること、干渉を識別すること、これは、異なるデバイスのうちの１または複数のプリアンブルからのパス・ロスを測定することに少なくとも部分的に基づく、等によって判定されうる。さらに、帯域幅のうちの１または複数の部分に対する部分的なブランキングを考慮するために、干渉のレベルが測定されうる。さらに、論理グループ１３０２は、異なる通信の品質を改善するためにブランキングする１または複数の制御チャネルを決定するための電子構成要素１３０６を備えうる。一例では、制御チャネルは、通信のために使用される１または複数のＯＦＤＭシンボルのサブキャリアの数によって定義されうる。これら部分をブランキングすることによって、干渉を受けているデバイスは、互いに品質送信を保証しうる。なぜなら、支配的な干渉体はもはやこれら部分に干渉を与えないからである。さらに、論理グループ１３０２は、１または複数の制御チャネルをブランキングするための電子構成要素１３０８を備えうる。したがって、これらチャネルは実際に、制御チャネルを構成する帯域幅の各部分での、デバイス間の確実な通信を容易にするために、ブランキングされうる。さらに、システム１３００は、電子構成要素１３０４、１３０６、１３０８に関連付けられた機能を実行するための命令群を保持するメモリ１３１０を含みうる。メモリ１３１０の外側にあると示されているが、電子構成要素１３０４、１３０６、１３０８のうちの１または複数は、メモリ１３１０内に存在しうることが理解されるべきである。
【００８５】
図１４に移って、帯域幅の各部分での、干渉のないデータの送信を可能にするために、帯域幅のうちの１または複数の部分をブランキングすることを要求するシステム１４００が例示されている。システム１４００は、例えば、基地局、モバイル・デバイス等に存在しうる。図示するように、システム１４００は、プロセッサ、ソフトウェア、または（例えば、ファームウェアのような）これらの組み合わせによって実現される機能を表しうる。システム１４００は、ブランキングを要求することと、データを送信することとを容易にする電子構成要素の論理グループ１４０２を含む。論理グループ１４０２は、支配的な干渉体による、帯域幅のうちの１または複数の部分における干渉を検出するための電子構成要素１４０４を含みうる。この干渉は、ＳＮＲや、制御データ等に基づいて検出されうる。そして、帯域幅の各部分は、例えば制御データのような重要なデータを送信するために使用されるものでありうる。さらに、論理グループ１４０２は、帯域幅の各部分における、支配的な干渉体からのブランキングを要求するための電子構成要素１４０６を含みうる。この点に関し、もしもブランキング要求が（部分的にまたは全体的に）許可された場合、帯域幅の各部分における干渉が少なくなり、これら各部分における送信品質が改善されるだろう。さらに、論理グループ１４０２は、帯域幅の各部分でデータを送信するための電子構成要素１４０８を備えうる。さらに、システム１４００は、電子構成要素１４０４、１４０６、１４０８に関連付けられた機能を実行するための命令群を保持するメモリ１４１０を含みうる。メモリ１４１０の外側にあるとして示されているが、電子構成要素１４０４、１４０６、１４０８は、メモリ１４１０内に存在しうることが理解されるべきである。
【００８６】
図１５を参照して、干渉を緩和するために、インタレースのうちの１または複数のサブセットにおける送信をブランキングするシステム１５００が例示されている。例えば、システム１５００は、基地局、モバイル・デバイス等の中に少なくとも部分的に存在しうる。システム１５００は、プロセッサ、ソフトウェア、またはそれらの組み合わせ（例えば、ファームウェア）によって実現される機能を表す機能ブロックでありうる機能ブロックを含むものとして示されることが認識されるべきである。システム１５００は、連携して動作しうる電子構成要素の論理グループ１５０２を含む。例えば、論理グループ１５０２は、無線通信ネットワークにおけるデバイスのパフォーマンスに関する１または複数のパラメータを受信するための電子構成要素１５０４を含みうる。説明しているように、１または複数パラメータは、デバイスにおいて受信された、システム１５００および／または１または複数の基地局からの信号の相対強度、データ・レート、レイテンシ、または、基地局と通信することに関連するデバイスのＱｏＳ、１または複数の制御接続ファクタ等に関連しうる。電子構成要素１５０４は、説明するように、デバイス、基地局、１または複数のネットワーク・デバイス等から１または複数のパラメータを受信しうる。さらに、論理グループ１５０２は、１または複数のパラメータに少なくとも部分的に基づいて、デバイスに対する干渉を検出するための電子構成要素１５０６を備えうる。一例では、電子構成要素１５０６は、デバイスとの干渉を緩和するために送信をブランキングすることに起因するであろう１または複数のパラメータに対する改善を計算しうる。さらに、電子構成要素１５０６は、この改善を、（例えば、帯域幅における増加のように）送信をブランキングしないことに起因するであろうシステム１５００の１または複数のローカルなパラメータの別の改善と比較しうる。別の例において、電子構成要素１５０６は、１または複数のパラメータを、しきいレベル（例えば、最小データ・レート、最大レイテンシ、ＱｏＳ等）と比較することに少なくとも部分的に基づいて、干渉を判定しうる。また別の例では、電子構成要素１５０６は、１または複数のネットワーク・デバイスから、干渉を示すインジケーションを受信しうる。さらに、論理グループ１５０２は、無線通信ネットワークにおいて通信しているデバイスによって利用されるリソースのサブセットにおける送信をブランキングするための電子構成要素１５０８を備えうる。これは、リソースのサブセットにおけるデバイスとの干渉を緩和しうる。リソースのサブセットは、説明しているように、サブフレームのセット、インタレースのサブセット等でありうる。さらに、システム１５００は、電子構成要素１５０４、１５０６、１５０８に関連付けられた機能を実行するための命令群を保持するメモリ１５１０を含みうる。メモリ１５１０の外側にあると示されているが、電子構成要素１５０４、１５０６、１５０８のうちの１または複数は、メモリ１５１０内に存在しうることが理解されるべきである。
【００８７】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００８８】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００８９】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００９０】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願の当初の特許請求の範囲に記載された発明を付記する。
［Ｃ１］  方法であって、
無線通信ネットワークにおけるデバイスのパフォーマンスに関する１または複数のパラメータを受信することと、
前記１または複数のパラメータに少なくとも部分的に基づいて、前記デバイスへの干渉を判定することと、
リソースのサブセットにおける前記デバイスへの干渉を緩和するために、基地局と通信するために前記デバイスによって利用される前記リソースのサブセットにおける送信をブランキングすることと、を備える方法。
［Ｃ２］  前記リソースのサブセットを示すインジケーションを受信すること、をさらに備えるＣ１に記載の方法。
［Ｃ３］  前記リソースのサブセットにおける送信をブランキングすることは、サブフレームのサブセットまたはキャリアのサブセットにおける送信をブランキングすることを含む、Ｃ１に記載の方法。
［Ｃ４］  前記サブフレームのサブセットにおける送信をブランキングすることは、周期的な通信サブフレームを表わすインタレースのサブセットにおける送信をブランキングすることを含む、Ｃ３に記載の方法。
［Ｃ５］  前記デバイスのパフォーマンスに関する１または複数のパラメータを受信することは、前記基地局から１または複数のパラメータを受信することを含む、Ｃ１に記載の方法。
［Ｃ６］  前記リソースのサブセットにおける送信をブランキングすることは、前記リソースのサブセットにおける逆方向リンク送信をブランキングすることを含む、Ｃ５に記載の方法。
［Ｃ７］  前記デバイスへの干渉を判定することは、前記リソースのサブセットにおける送信をブランキングすることに基づいて、前記１または複数のパラメータに対する改善を計算することを含む、Ｃ１に記載の方法。
［Ｃ８］  前記デバイスへの干渉を判定することはさらに、前記リソースのサブセットにおける送信をブランキングすることに基づく、前記１または複数のパラメータに対する改善を、前記リソースのサブセットにおける送信を継続することに基づく、１または複数のローカルなパラメータの改善に対して評価することを含む、Ｃ７に記載の方法。
［Ｃ９］  前記デバイスのパフォーマンスに関する１または複数のパラメータを受信することは、前記基地局と通信するデバイスのサービス品質、レイテンシ、またはデータ・レートを受信することを含む、Ｃ１に記載の方法。
［Ｃ１０］  前記デバイスのパフォーマンスに関する１または複数のパラメータを受信することは、前記基地局および近隣の基地局からの、前記デバイスにおいて受信された信号の相対強度を受信することを含む、Ｃ１に記載の方法。
［Ｃ１１］  前記デバイスのパフォーマンスに関する１または複数のパラメータを受信することは、前記デバイスの制御接続に関する１または複数のファクタを受信することを含む、Ｃ１に記載の方法。
［Ｃ１２］  前記デバイスへの干渉を判定することは、無線ネットワークにおける前記デバイス、または、１または複数の他のデバイス、または、基地局から、干渉を示すインジケーションを受信することを含む、Ｃ１に記載の方法。
［Ｃ１３］  前記リソースのサブセットは、前記基地局と通信している前記デバイスによって利用される制御チャネルまたはデータ・チャネルに関連する、Ｃ１に記載の方法。
［Ｃ１４］  無線通信装置であって、
基地局と通信しているデバイスのパフォーマンスに関する１または複数のパラメータを取得し、
前記１または複数のパラメータに少なくとも部分的に基づいて、前記無線通信装置による前記デバイスへの干渉を検出し、
リソースのサブセットにおける干渉を緩和するために、前記基地局と通信するために前記デバイスによって利用されるリソースのサブセットにおける送信をブランキングする、ように構成された少なくとも１つのプロセッサと、
前記少なくとも１つのプロセッサに接続されたメモリと、を備える無線通信装置。
［Ｃ１５］  前記少なくとも１つのプロセッサはさらに、前記基地局と通信するために前記デバイスによって利用されたリソースのサブセットを示すインジケーションを受信するように構成された、Ｃ１４に記載の無線通信装置。
［Ｃ１６］  前記リソースのサブセットは、サブフレームのサブセット、または、キャリアのサブセットを含む、Ｃ１４に記載の無線通信装置。
［Ｃ１７］  前記サブフレームのサブセットは、周期的なサブフレームのセットで定義されたインタレースのサブセットを含む、Ｃ１６に記載の無線通信装置。
［Ｃ１８］  前記少なくとも１つのプロセッサは、前記基地局から前記１または複数のパラメータを取得する、Ｃ１４に記載の無線通信装置。
［Ｃ１９］  前記少なくとも１つのプロセッサは、前記リソースのサブセットにおける送信をブランキングすることに基づいて、前記１または複数のパラメータに対する改善を判定することに少なくとも部分的に基づいて、前記デバイスに対する干渉を検出する、Ｃ１４に記載の無線通信装置。
［Ｃ２０］  前記少なくとも１つのプロセッサはさらに、前記改善を、前記リソースのサブセットにおける送信を継続することに基づいて、前記無線通信装置の通信に関する１または複数のローカルなパラメータの改善と比較することに少なくとも部分的に基づいて、前記デバイスに対する干渉を検出する、Ｃ１９に記載の無線通信装置。
［Ｃ２１］  前記１または複数のパラメータは、前記基地局および近隣の基地局からの、前記デバイスにおいて受信された信号の相対強度に関連する、Ｃ１４に記載の無線通信装置。
［Ｃ２２］  前記１または複数のパラメータは、前記デバイスの制御接続に関する１または複数のファクタを含む、Ｃ１４に記載の無線通信装置。
［Ｃ２３］  前記少なくとも１つのプロセッサは、前記制御接続を、通信している前記デバイスまたは前記基地局および前記無線通信装置の接続と比較することに少なくとも部分的に基づいて、前記デバイスに対する干渉を検出する、Ｃ２２に記載の無線通信装置。
［Ｃ２４］  前記少なくとも１つのプロセッサは、無線ネットワークにおける前記デバイス、または、１または複数の他のデバイス、または、基地局から、干渉を示すインジケーションを受信することに少なくとも部分的に基づいて、前記デバイスに対する干渉を検出する、Ｃ１４に記載の無線通信装置。
［Ｃ２５］  装置であって、
無線通信ネットワークにおけるデバイスのパフォーマンスに関する１または複数のパラメータを受信する手段と、
前記１または複数のパラメータに少なくとも部分的に基づいて、前記デバイスへの干渉を検出する手段と、
前記無線通信ネットワークにおいて通信している前記デバイスによって利用されているリソースのサブセットにおける送信をブランキングする手段と、を備える装置。
［Ｃ２６］  前記１または複数のパラメータを受信する手段は、前記リソースのサブセットを示すインジケーションを受信する、Ｃ２５に記載の装置。
［Ｃ２７］  前記リソースのサブセットは、サブフレームのサブセット、または、キャリアのサブセットを含む、Ｃ２５に記載の装置。
［Ｃ２８］  前記サブフレームのサブセットは、周期的なサブフレームのセットによって定義されたインタレースのサブセットを含む、Ｃ２７に記載の装置。
［Ｃ２９］  前記１または複数のパラメータを受信する手段は、前記デバイスと通信している基地局から、前記１または複数のパラメータを受信する、Ｃ２５に記載の装置。
［Ｃ３０］  前記送信をブランキングする手段は、前記リソースのサブセットにおける逆方向リンク送信をブランキングする、Ｃ２９に記載の装置。
［Ｃ３１］  前記干渉を検出する手段は、前記リソースのサブセットにおける送信をブランキングすることに基づいて、前記１または複数のパラメータに対する改善を計算する、Ｃ２５に記載の装置。
［Ｃ３２］  前記干渉を検出する手段は、前記１または複数のパラメータに対する改善を、前記リソースのサブセットにおける送信を継続することに基づいて、前記装置の１または複数のローカルなパラメータの改善と比較する、Ｃ３１に記載の装置。
［Ｃ３３］  前記１または複数のパラメータは、前記デバイスと基地局との間の通信に関するサービス品質、レイテンシ、またはデータ・レートを含む、Ｃ２５に記載の装置。
［Ｃ３４］  前記１または複数のパラメータは、前記デバイスと通信している基地局、および、近隣の基地局からの、前記デバイスにおいて受信された信号の相対強度を含む、Ｃ２５に記載の装置。
［Ｃ３５］  前記１または複数のパラメータは、前記デバイスの基地局との制御接続に関連する、Ｃ２５に記載の装置。
［Ｃ３６］  前記干渉を検出する手段は、前記無線通信ネットワークにおける１または複数のデバイスから、前記干渉を示すインジケーションを受信する、Ｃ２５に記載の装置。
［Ｃ３７］  コンピュータ・プログラム製品であって、
少なくとも１つのコンピュータに対して、無線通信ネットワークにおけるデバイスのパフォーマンスに関する１または複数のパラメータを受信させるためのコードと、
前記少なくとも１つのコンピュータに対して、前記１または複数のパラメータに少なくとも部分的に基づいて、前記デバイスへの干渉を判定させるためのコードと、
前記少なくとも１つのコンピュータに対して、リソースのサブセットにおける前記デバイスへの干渉を緩和するために、基地局と通信するために前記デバイスによって利用される前記リソースのサブセットにおける送信をブランキングさせるためのコードと、を備えるコンピュータ読取可能な媒体を備える、コンピュータ・プログラム製品。
［Ｃ３８］  前記コンピュータ読取可能な媒体はさらに、前記少なくとも１つのコンピュータに対して、前記リソースのサブセットを示すインジケーションを受信させるためのコードを備え、
前記リソースのサブセットは、周期的な通信サブフレームに関連する、Ｃ３７に記載のコンピュータ・プログラム製品。
［Ｃ３９］  前記リソースのサブセットは、サブフレームのサブセット、または、キャリアのサブセットを含む、Ｃ３７に記載のコンピュータ・プログラム製品。
［Ｃ４０］  前記サブフレームのサブセットは、周期的なサブフレームのセットを含むインタレースのサブセットを含む、Ｃ３９に記載のコンピュータ・プログラム製品。
［Ｃ４１］  前記少なくとも１つのコンピュータに対して、前記１または複数のパラメータを受信させるためのコードは、前記基地局から前記１または複数のパラメータを受信する、Ｃ３７に記載のコンピュータ・プログラム製品。
［Ｃ４２］  前記コンピュータ読取可能な媒体はさらに、前記少なくとも１つのコンピュータに対して、前記リソースのサブセットにおける送信をブランキングすることに基づいて、前記１または複数のパラメータに対する改善を計算させるためのコードを備える、Ｃ３７に記載のコンピュータ・プログラム製品。
［Ｃ４３］  前記コンピュータ読取可能な媒体はさらに、前記少なくとも１つのコンピュータに対して、前記干渉を判定するために、前記１または複数のパラメータに対する改善を、前記リソースのサブセットにおける送信を継続することに基づいて、１または複数のローカルなパラメータの改善と比較させるためのコードを備える、Ｃ４２に記載のコンピュータ・プログラム製品。
［Ｃ４４］  前記１または複数のパラメータは、前記基地局と通信するデバイスのサービス品質、レイテンシ、またはデータ・レートを含む、Ｃ３７に記載のコンピュータ・プログラム製品。
［Ｃ４５］  前記１または複数のパラメータは、前記基地局および近隣の基地局からの、前記デバイスにおいて受信された信号の相対強度を含む、Ｃ３７に記載のコンピュータ・プログラム製品。
［Ｃ４６］  前記１または複数のパラメータは、前記デバイスの前記基地局との制御接続に関連する、Ｃ３７に記載のコンピュータ・プログラム製品。
［Ｃ４７］  装置であって、
無線通信ネットワークにおけるデバイスのパフォーマンスに関する１または複数のパラメータを取得する干渉情報受信機と、
前記１または複数のパラメータに少なくとも部分的に基づいて、前記デバイスへの干渉を識別する干渉レベル判定部と、
前記無線通信ネットワークにおいて通信している前記デバイスによって利用されるリソースのサブセットにおける送信をブランキングするインタレース・ブランカと、を備える装置。
［Ｃ４８］  前記干渉情報受信機は、前記リソースのサブセットを示すインジケーションを取得する、Ｃ４７に記載の装置。
［Ｃ４９］  前記リソースのサブセットは、サブフレームのサブセット、または、キャリアのサブセットを含む、Ｃ４７に記載の装置。
［Ｃ５０］  前記サブフレームのサブセットは、インタレースのサブセットを含む、Ｃ４９に記載の装置。
［Ｃ５１］  前記干渉情報受信機は、前記デバイスと通信している基地局から、前記１または複数のパラメータを取得する、Ｃ４７に記載の装置。
［Ｃ５２］  前記干渉レベル判定部は、前記リソースのサブセットにおける送信をブランキングすることに基づいて、前記１または複数のパラメータに対する改善を計算する、Ｃ４７に記載の装置。
［Ｃ５３］  前記干渉レベル判定部は、前記１または複数のパラメータに対する改善を、前記リソースのサブセットにおける送信を継続することに基づいて、前記装置の１または複数のローカルなパラメータの改善と比較する、Ｃ５２に記載の装置。
［Ｃ５４］  前記１または複数のパラメータは、前記デバイスと基地局との間の通信に関するサービス品質、レイテンシ、またはデータ・レートを含む、Ｃ４７に記載の装置。
［Ｃ５５］  前記１または複数のパラメータは、前記デバイスと通信している基地局、および、近隣の基地局からの、前記デバイスにおいて受信された信号の相対強度を含む、Ｃ４７に記載の装置。
［Ｃ５６］  前記１または複数のパラメータは、前記デバイスの基地局との制御接続に関連する、Ｃ４７に記載の装置。
【図１】
0005596171.tif 000002
【図２】
0005596171.tif 000003
【図３】
0005596171.tif 000004
【図４】
0005596171.tif 000005
【図５】
0005596171.tif 000006
【図６】
0005596171.tif 000007
【図７】
0005596171.tif 000008
【図８】
0005596171.tif 000009
【図９】
0005596171.tif 000010
【図１０】
0005596171.tif 000011
【図１１】
0005596171.tif 000012
【図１２】
0005596171.tif 000013
【図１３】
0005596171.tif 000014
【図１４】
0005596171.tif 000015
【図１５】
0005596171.tif 000016